【事件の表示】
　特願２００１−２７７５１３「皮膚外用剤」拒絶査定不服審判事件〔平成１５年　３月１９日出願公開、特開２００３−　８１７４１〕について、次のとおり審決する。
【結　論】
　本件審判の請求は、成り立たない。
【理　由】
１．手続の経緯・本願発明
　本願は、平成１３年９月１３日の出願であって、その請求項１に係る発明は、明細書の特許請求の範囲の請求項１に記載された事項により特定される次のとおりのものであると認める。
　
「（Ａ）２−メタクリロイルオキシエチルホスホリルコリンのホモポリマーを０．００１〜５．０重量％と、（Ｂ）納豆エキスを０．００１〜１０．０重量％とを配合することを特徴とする皮膚外用剤。」（以下、「本願発明」という。）
　
２．引用例の記載の概要
　原査定の拒絶の理由で引用した、本願の出願日前に頒布された刊行物である特開平６−１５７２６９号公報（以下、「引用例Ａ」という。）、特開平６−３２９５２９号公報（以下、「引用例Ｂ」という。）、特開平９−３１５９４９号公報（以下、「引用例Ｃ」という。）、及び特開２０００−３４２１７号公報（以下、「引用例Ｄ」という。）には以下の事項が記載されている。
　
　引用例Ａ；
　(a-1)「【請求項１】２−メタクリロイルオキシエチルホスホリルコリンのホモ重合体を含有することを特徴とする化粧料。
…
【請求項３】重合体の含有量が化粧料全体に対して0.００１〜１０重量％である請求項１…に記載の化粧料。」（【特許請求の範囲】）
　(a-2)「本発明の化粧料には重合体に加えて、必要に応じて…保湿剤…を配合できる。」（段落【００２１】）
　(a-3)「本発明によれば、水分保持機能、ラメラ形成促進・安定化作用ならびに皮膜形成能等に基づく皮膚に対する美肌効果、…が格段に優れていることは勿論のこと、安定性上の問題もなく使用することができる。」（段落【００５５】）
　
　引用例Ｂ；
　(b-1)「納豆粘質物…を配合し、ピロリドンカルボン酸を増加させることを特徴とする皮膚外用剤。」（【特許請求の範囲の請求項２】）
　(b-2)「近年では皮膚表面の成分とほぼ同様な物質を、皮膚上に塗布・再現することが理想とされるようになり、天然保湿因子：ＮＭＦ…と言われる角質層成分が注目を浴び使用されて来ている。…
　このＮＭＦの特徴・特性は、皮膚角質層を親水性にして水分を取り込み、水分保持作用を持つため、皮膚角質層の調節にとっては最も重要な役割を担っているのである。又、更にその中でも、ピロリドンカルボン酸は、…その他のＮＭＦと比較すると、極めて高い吸湿性を持ち、皮膚の保湿性を保持する上でも、非常に大切な物質であることが知られている。…本発明者らは、納豆粘質物…を皮膚表皮上に塗布することによって、ピロリドンカルボン酸が増加することを見出し、…皮膚外用剤を開発し…た。」（段落【０００６】【０００７】【００１０】）
　(b-3)「製造例１
市販の納豆１．０ｋｇに精製水５Ｌを加え、緩やかに攪拌して納豆表面の粘質物を溶解させる。次に、遠心分離又は濾過により不溶物を除去し、納豆溶液を得た後、この納豆溶液中の粘質物が溶解しない水溶性有機溶媒（エタノール等）を加えて攪拌後、再度濾過を行い、納豆粘質物を沈殿物として、約１０〜５０ｇを得る。」（段落【００１６】）
　(b-4)「配合量としては、納豆粘質物…０．１重量％以上…が良い。」（段落【００１９】）
　(b-5)「本発明の納豆粘質物…は、保湿剤…に対しても安全・安定であり、これらと共に配合し、併用も出来る。」（段落【００２０】）
　
　引用例Ｃ；
　(c-1)「刺激防御剤は上記一般式（Ｉ）に表される化合物から選ばれる１種…の重合体…からなる。本発明の刺激防御剤として最も好ましいものは、メタクリロイルオキシエチルホスホリルコリン（化合物１）の重合体…である。」（段落【０００７】）
　(c-2)「刺激防御用の化粧料に於ける、刺激防御剤の好ましい含有量は、０．００１〜２０重量％であ…る。」（段落【０００９】）
　(c-3)「刺激防御化粧料としては、クリーム、乳液、化粧水などの皮膚用の化粧料…が挙げられる。本発明の刺激防御剤は皮膚化粧料…に於いては、刺激物質より皮膚を保護…することが出来る。」（段落【０００９】）
　　
　引用例Ｄ；
　(d-1)「本発明は、（Ａ）アミノ酸類から選ばれる一種または二種以上を０．００１〜２０．０重量％と、（Ｂ）納豆エキスを０．００１〜１０．０重量％とを配合することを特徴とする皮膚外用剤である。」（段落【０００５】）
　(d-2)「本発明で用いられる（Ｂ）納豆エキスは、大豆の種子を納豆菌ＢａｃｉｌｌｕｓｎａｔｔｏＳａｗａｍｕｒａで発酵して作った納豆菌の２０％エタノール抽出エキスに無水エタノールを加えて析出する塊状粘質物を１０％エタノール溶液に分散して得られる液（塊状粘質物：１０％エタノール溶液＝約２：９８）で、γ−グルタミン酸ポリマーを主成分とし、他に糖なども含む粘稠性のあるエキスである。市販品としては、一丸ファルコス株式会社製、商品名「フィトコラージュ」が挙げられる。」（段落【０００８】）
　(d-3)「本発明の皮膚外用剤における納豆エキスの配合量は、外用剤全体に対して０．００１〜１０．０重量％であ…る。」（段落【０００９】）
　
３．対比判断
　本願発明と引用例Ａの「２−メタクリロイルオキシエチルホスホリルコリンのホモ重合体を化粧料全体に対して０.００１〜１０重量％含有することを特徴とする化粧料。」(a-1)とを対比する。
　化粧料は皮膚外用剤の一種であり、ホモ重合体はホモポリマーのことであるから両者は「２−メタクリロイルオキシエチルホスホリルコリンのホモポリマーを０．００１〜５．０重量％を配合することを特徴とする皮膚外用剤。」である点で一致し、以下の点で相違する。
　
　（相違点）本願発明は、２−メタクリロイルオキシエチルホスホリルコリンのホモポリマー０．００１〜５．０重量％とともに納豆エキス０．００１〜１０．０重量％を配合するのに対して、引用例Ａでは納豆エキスの配合が記載されていない点
　
　以下、相違点について検討する。
　引用例Ａには、メタクリロイルオキシエチルホスホリルコリンのホモポリマーが吸保湿作用と細胞間脂質ラメラ層の形成促進・安定化作用を併せもち、美肌効果が格段に優れている(a-3)ものであり、これを含む化粧品には必要に応じて保湿剤を配合できる（a-2）と記載されている。
　また、引用例Ｃによれば、メタクリロイルオキシエチルホスホリルコリンのホモポリマーは吸保湿作用に加えて刺激物質に由来する刺激を抑制する作用を有するものであることも知られている。（(c-1),(c-2),(c-3)）。
　一方、引用例Ｂには納豆粘質物が皮膚の保湿性を保持する上でも、非常に大切な物質であることが知られているピロリドンカルボン酸を増加させること、すなわち保湿作用を有することが（(b-2),(b-3)）示されている。そして、この納豆粘質物は、他の保湿剤に対しても安全・安定であり、これらと共に配合し併用できるものである（b-5）うえ、引用例Ｄによれば、商品名「フィトコラージュ」（d-2)として本願出願前に市販され、その配合量として０．００１〜１０．０重量％が適切であることも公知である(d-3)。
　そうすると、引用例Ａの化粧料において、保湿剤の中でも市販され且つ皮膚上のＭＮＦの生成を促す作用のある引用例Ｂ及びＤの納豆エキスを０．００１〜１０．０重量％配合してみることは当業者であれば容易になし得ることである。
　
　そして、本願発明の「低刺激で安全性が高く、痒みなど皮膚疾患を持った敏感肌のヒトに好適な皮膚の痒みの予防・改善作用」という効果にしても、メタクリロイルオキシエチルホスホリルコリンのホモポリマーの有する保湿作用及び刺激物質に由来する刺激を抑制する作用並びに納豆エキスの有する保湿作用から、当業者が十分に予測し得るものである。
　
４．むすび
　以上のとおりであるから、本願発明は引用例Ａ〜Ｄに記載された発明に基づいて、当業者が容易に発明をすることができたものであるから、特許法第２９条第２項の規定により特許を受けることができない。